(57)【要約】【課題】バンドが足の甲に直接当たるために、足の甲を抑えこんでしまう。さらに、靴を履きふるした後では、前記伸縮するバンドがすれて変形する。【解決手段】舌革が設けられている靴のための伸縮性有するバンドつき覆い革部、特に、舌革つき靴の伸縮性をもつバンドの覆いであって、前記バンドの覆いは、足の甲に相当する靴の上部領域に位置する舌革と、該靴の甲革の両横側にある二枚のサイドフラップの間に位置する伸縮性をもつバンドと、このバンドの下側に位置して前記舌革との間で前記バンドを挟み込む内張り材とを備えているものである。【選択図】図４
2006212429.tif 000002
【特許請求の範囲】
【請求項１】
舌革つき靴の伸縮性をもつバンドの覆いであって、前記バンドの覆いは、足の甲に相当する靴の上部領域に位置する舌革（１０）と、該靴の甲革の両横側にある二枚のサイドフラップ（１１）の間に位置する伸縮性をもつバンド（１２）と、このバンドの下側に位置して前記舌革との間で前記バンドを挟み込む内張り材（１３）とを備え、前記伸縮性をもつバンドは、靴を履いた足の甲を跨ぐように前記サイドフラップに橋状に架橋されていて、前記舌革と前記内張り材との間に挟まれた前記バンドは、両者の間を自由にずれ動くことができるように、前記内張り材（１３）が前記舌革（１０）の前部側と後部縁側（１４）に縫い付けられていて、両者の両側部が開放されていることを特徴とするもの。
【請求項２】
前記伸縮性をもつバンドを覆う覆いは、靴の内張り材であることを特徴とする請求項１による覆い。
【請求項３】
前記伸縮性をもつバンドを覆う覆いは、靴の舌革の取付部近辺に縫い付けられていることを特徴とする請求項１による覆い。
【発明の詳細な説明】
【技術分野】
【０００１】
この発明は、舌革が設けられている靴のための伸縮性有するバンドつき覆い部に関するものである。
【背景技術】
【０００２】
紳士用及び婦人用靴の種々多くのタイプの靴は、足の甲に相当する部分に舌革を有し、該舌革が内側にある伸縮性を有するバンドを覆うようになっている。
【０００３】
前記伸縮性をもつバンドは、靴の甲革の前記舌革が間に位置する二つの側縁に結合されていて、靴を履く人の足が甲高である場合には、伸び、甲が低い場合には、縮むようになって、前記バンドがある靴の部分が靴を履く人の甲に合うようになっている。
【０００４】
この伸縮するバンドにより靴は、少なくとも足の甲については種々様々な足の形にぴったり合うようになる。
【０００５】
しかしながら、伸縮性をもつバンドには、いくつかの欠点があり、これら欠点の内最も大きな点は、前記バンドが足の甲に直接当たるために、前記バンドにテンションがかかったとき、足の甲を抑えこんでしまう点がしばしば問題になることである。
【０００６】
さらに、前記靴の内側が外観的に見て審美性にかけ、なかんずく、前記靴を履きふるした後では、前記伸縮するバンドがすれて変形してしまった後はみすぼらしくなってしまう。
【発明の開示】
【発明が解決しようとする課題】
【０００７】
この発明の目的は、前記伸縮性をもつバンドが足の甲に直接当たらないようにし、該靴を長期にわたって履いていても外観が変わらないようにするようにする解決策で上記欠点を克服する点にある。
【課題を解決するための手段】
【０００８】
上記および以下からよりよく理解される目的を達成するために、この発明は、舌革つき靴の伸縮性をもつバンドの覆いを提供するものであって、前記バンドの覆いは、足の甲に相当する靴の上部領域に位置する舌革と、該靴の甲革の両横側にある二枚のサイドフラップの間に位置する伸縮性をもつバンドと、このバンドの下側に位置して前記舌革との間で前記バンドを挟み込む内張り材とを備え、前記伸縮性をもつバンドは、靴を履いた足の甲を跨ぐように前記サイドフラップに橋状に架橋されていて、前記舌革と前記内張り材との間に挟まれた前記バンドは、両者の間を自由にずれ動くことができる構成になっているものである。
【発明を実施するための最良の形態】
【０００９】
図１は、一般の靴を示すもので、舌革１０が靴の甲革の二つの横側フラップ１１の間に納められている特徴を明示するためのものである。
【００１０】
図２は、ここでも前記フラップ１１と舌革１０を靴の内側から見たものである。
【００１１】
図３と図４は、ここでも前記フラップ１１と舌革１０を示しているが、伸縮性をもつバンド１２が二つの前記フラップ１１に連結されている状態を示している。
【００１２】
甲革と通常内張りをもつ靴を作る工程において、靴の外側部分を構成する甲革部分は、既知の手段で切り抜きされ、甲革の両側の横側フラップ１１の間に伸縮性をもつバンドが配置され、該バンドの端部が前記フラップに縫い付けられる。
【００１３】
この発明によれば、図３，４に示すように、舌革１０が伸縮性をもつバンド１２を挟み込む構造になるようなっている（図５，６参照）。即ち、内張り材の一部が前記靴の甲革の一部に取り付けられた舌革１０を覆うように延長されてバンド１２を挟み込み、この延長された内張り材１３は、その先端部分１４においてのみ前記舌革１０に縫い付けられており、前記バンドを挟み込んだ状態になっている内張り材１３と舌革１０とが前記バンドを挟む両側縁は、縫い付けられておらず開放されていて、前記バンドは、内張り材１３と舌革１０との間で自由に伸縮し、靴の前後方向にずれ動けるようになっている。なお、前記内張り材は、前記舌革の甲革に取付けた部分近辺に縫い付けられていてもよい。
【００１４】
このように、図３〜図６に示すように、伸縮性をもつバンド１２は、舌革と内張り材との間で固定されていないから、靴を履いた際には、足の動きに合わせずれ動き、足の甲を無理に圧迫せず、足の運びが楽で、不快な疲労を与えないですむことになる。歩行のときには、上記のように、前記バンドは、舌革に覆われながら動きが自由であり、前記バンドの大部分は、舌革に隠れ、両端部分側が見え隠れし、靴を脱いだような履かない状態では、前記バンドは、外側から見え難い状態になる。
【００１５】
内張り材がない靴の場合は、舌革１０にライニングを合わせ、両者の前後両端のみを縫い付け、前記構造と同様に両者の間に前記伸縮性があるバンドを挟み込むようにすればよく、この場合、舌革１０とライニングとを一体的に構成し、一方を他方へ折り返すようにして前記伸縮性があるバンドを挟み込むようにし、後端縁部１４のみを縫い付けるようにできる。
【００１６】
伸縮性をもつバンド１２は、舌革１０と内張り材にそって橋状に架橋されており、したがって、前記バンドは、伸び過ぎた場合を除き足の甲に触れず、前記したように、自由にずれ動くので足の甲を無理に圧迫しない。また、長い間にわたり同じ靴を愛用していても、前記バンドが足の甲に当たらないからその損耗も防げ、若干痛んだとしても外観的に見にくいものにならない。
【図面の簡単な説明】
【００１７】
【図１】舌革をもつ通常の靴の平面図。
【図２】この発明による靴の舌革に設ける伸縮性をもつバンドを取り付ける構造の要部をそれぞれ示す展開図。
【図３】この発明による靴の舌革に設ける伸縮性をもつバンドを取り付ける構造の要部をそれぞれ示す展開図。
【図４】この発明による靴の舌革に設ける伸縮性をもつバンドを取り付ける構造の要部をそれぞれ示す展開図。
【図５】この発明による舌革に伸縮性をもつバンドを取り付け、これを覆う構造の靴の斜視図。
【図６】図５のＶＩ−ＶＩ線にそう断面図。
【符号の説明】
【００１８】
１０  舌革
１１  フラップ
１２  バンド
１３  内張り材
１４  後端縁部
【図１】
2006212429.tif 000003
【図２】
2006212429.tif 000004
【図３】
2006212429.tif 000005
【図４】
2006212429.tif 000006
【図５】
2006212429.tif 000007
【図６】
2006212429.tif 000008